(57)【要約】【課題】携帯電話機等の携帯通信端末を用いて毎日手軽に基礎体温を測定でき、その測定データから女性の体調管理を容易にかつ確実に実現することができる携帯通信端末による基礎体温測定システムを提供する。【解決手段】基礎体温データベース１３ａと、携帯通信端末に付属する温度センサ７と、該温度センサ７にて測定された体温測定データと携帯通信端末内での日時及びカレンダデータとから基礎体温を集計して基礎体温データベース１３ａへ保存するとともに、その結果を携帯通信端末の表示部９上に基礎体温表としてグラフ表示させる基礎体温処理アプリケーションソフト１４とからなり、該基礎体温処理アプリケーションソフト１４は携帯通信端末内のＣＰＵ８にて実行される。基礎体温処理アプリケーションソフトは、携帯通信端末内のタイマ１２にて設定された時刻に、携帯通信端末内の音声部１０を用いて基礎体温測定を促すための報知を行う報知機能を有する。【選択図】　図２
2004138439.tif 000002
【特許請求の範囲】
【請求項１】
基礎体温データベースと、携帯通信端末に付属する温度センサと、該温度センサにて測定された体温測定データと携帯通信端末内での日時及びカレンダデータとから基礎体温を集計して前記基礎体温データベースへ保存するとともに、その結果を携帯通信端末の表示部上に基礎体温表としてグラフ表示させる基礎体温処理アプリケーションソフトとからなり、該基礎体温処理アプリケーションソフトは携帯通信端末内のＣＰＵにて実行されることを特徴とする、携帯通信端末による基礎体温測定システム。
【請求項２】
基礎体温処理アプリケーションソフトは、携帯通信端末内のタイマにて設定された時刻に、携帯通信端末内の音声部を用いて基礎体温測定を促すための報知を行う報知機能を有することを特徴とする請求項１記載の基礎体温測定システム。
【請求項３】
報知機能による報知は、温度センサによる体温測定が行われるまで終了しないようになっていることを特徴とする請求項２記載の基礎体温測定システム。
【請求項４】
基礎体温処理アプリケーションソフトは、基礎体温表の表示形態を携帯通信端末のキーによる選択に従い変更する表示形態選択機能を有することを特徴とする請求項１、２又は３記載の基礎体温測定システム。
【請求項５】
基礎体温データベースは、携帯通信端末内のデータメモリに格納されていることを特徴とする請求項１、２、３又は４記載の基礎体温測定システム。
【請求項６】
基礎体温データベースは、ネットワーク上のデータベースサーバに格納され、ネットワークを通じて携帯通信端末とのデータの授受を行うことを特徴とする請求項１、２、３又は４記載の基礎体温測定システム。
【請求項７】
温度センサが携帯通信端末の筐体に備えられていることを特徴とする請求項１、２、３、４、５又は６記載の基礎体温測定システム。
【請求項８】
温度センサが、携帯通信端末に接続する外付けアダプタとされていることを特徴とする請求項１、２、３、４、５又は６記載の基礎体温測定システム。
【請求項９】
基礎体温処理アプリケーションソフトは、携帯通信端末の記憶部に予め保存されていることを特徴とする請求項１、２、３、４、５、６、７又は８記載の基礎体温測定システム。
【請求項１０】
基礎体温処理アプリケーションソフトは、ネットワークを通じて携帯通信端末にダウンロードされることを特徴とする請求項１、２、３、４、５、６、７又は８記載の基礎体温測定システム。
【請求項１１】
基礎体温処理アプリケーションソフトは、基礎体温データベースに保存された基礎体温データをネットワークを通じて診断システムへ送り、診断者による診断結果を受信可能とする診断用送受信機能を有することを特徴とする請求項１、２、３、４、５、６、７、８、９又は１０記載の基礎体温測定システム。
【請求項１２】
基礎体温処理アプリケーションソフトは、診断結果をインターネットを通じてダウンロードできるようにする診断結果ダウンロード機能を有することを特徴とする請求項１１記載の基礎体温測定システム。
【発明の詳細な説明】
【０００１】
【発明の属する技術分野】
本発明は、携帯電話機（ＰＨＳを含む）や携帯情報端末等の通信機能を有する携帯通信端末による基礎体温測定システムに関する。
【０００２】
【従来の技術】
一般的に健康な女性においては、ほぼ２８日周期で体温の高い時期と低い時期を交互に繰り返す。この体温が高い時期と低い時期に深く関係しているのが卵胞ホルモン（エストロゲン）と黄体ホルモン（プロゲステロン）である。女性の体は、このエストロゲンとプロゲステロンという２つのホルモンのバランスで健康が保たれている。プロゲステロンは体温を上げる作用があり、排卵の後に増加し約２週間分泌され続ける。このため、排卵前よりも体温は約０．５℃高くなる（高温期）。そして約２週間後、プロゲステロンの分泌がなくなった途端に月経が始まる。そして、次の排卵のために今度はエストロゲンが増加し、同時に体温がもとに戻る（低温期）。一定期間続いた低温期の最後が排卵日であり、卵巣から卵子が排される。このように排卵日を境にしてプロゲステロンの分泌により女性の体温は急激に上昇し、再び高温期に入る。この周期（月経周期）は通常約２８日周期となっており、女性の体調と深く関わりを持っている。毎日の体温（基礎体温）を記録することで女性は自分の月経周期を知ることができる。
【０００３】
この基礎体温データからは、排卵日、妊娠可能時期、妊娠不可能時期、高基礎代謝時期などが分かる。一般的に、高温期は体の基礎代謝が活発になることから、低温期と比較してカロリー消費量が多く、太りにくく、やせやすいと言われている。つまり、ダイエットを志す女性にとって、この高基礎代謝時期にダイエットを集中的に行うことは有効であり、逆に低基礎代謝時期にダイエットを行うことは効果が出にくいということになる。健康管理だけでなく、「美」を気にする女性にとっては、基礎体温測定により、代謝の多い、少ない時期を知るということは非常に重要なことである。
【０００４】
しかしながら、基礎体温データの測定・記録には、毎朝目覚めた時に体温を測定しなければならないという困難さがある。しかも測定する時間は同じ時間にしなければならない。このように、毎朝一定の時間に基礎体温の測定を行わなければ、測定データの不正確さを招き、体調管理を正しく行えないという問題がある。
【０００５】
このような問題に鑑み、例えば特許文献１（特開平１１−８４０３６号公報）には、排卵日を知らせる腕時計が開示されている。図１０にその構成を示す。この腕時計は、腕時計本体８０１と、体温を測定する温度センサである赤外線受光二次元センサ８０２と、表示手段８０３と、本体内部の演算処理部とから構成されており、腕時計としての本来の機能の他に、睡眠時に赤外線受光二次元センサ８０２で手首の体温を測定し、その測定体温とカレンダーデータとから演算処理部で排卵日を算出して表示手段８０３上に表示させるようにしたものである。
【０００６】
しかしながら、この腕時計には次のような問題点がある。
第１の問題点は、専用の腕時計を睡眠中にも身につける必要があるということである。なお、このような腕時計の他に、世の中には専用の基礎体温測定装置が数多く存在するが、結局、基礎体温測定専用装置として新たに購入し使用しなければならないと言う問題があり、利用者に負担を強いる結果となる。
【０００７】
第２の問題点は、もともと小型である腕時計本体の大きさに対して、温度センサの占める割合が大きくなり、デザイン自由度が小さく、ファッション性に乏しくなるということである。腕時計は、時間を知るという本来の目的の他に自らを装う装飾品としての一面もある。従って、体裁の悪い温度センサが大きく露呈しているような腕時計をわざわざ身につけるのには、特に女性にとっては抵抗があるということになる。
【０００８】
第３の問題点は、通信手段が装備されていないために、装置単独での使用にとどまり、ネットワークを利用した利用形態への発展性に乏しいということである。
【０００９】
また、この従来技術に類似して、腕時計に体温センサ、血圧計、心拍計、脈拍計などを組み合わせて利用者の健康管理をすることを目的とした、特許文献２（特開平９−７２９６８号公報）、特許文献３（特開２０００−１３９８５７号公報）、特許文献４（特開平１０−８０４０８号公報）等の従来技術があるが、いずれも上述と同様の問題がある。
【００１０】
一方、携帯電話機を利用した健康管理システムとして、例えば特許文献５（特開２０００−２２９０７２号公報）に開示されたシステムがある。図１１にそれにおける携帯電話機の外観図を示す。
【００１１】
この健康管理システムは、携帯電話機としての標準機能を備えた携帯電話機本体９００に、４つの電極９０１ａ〜９０１ｄと、そのうちの２つ以上の電極に定電流を流す定電流発生回路と、２つ以上の電極の電圧を検出する電圧検出回路とを備えて、これらで体脂肪計を構成し、その電圧検出回路からの検出データと数値入力手段９０２からの身長や体重等の入力データとにより体脂肪率を演算し、表示手段９０３に演算結果を表示するようにしたものである。
【００１２】
また、特許文献６（特開２００１−２１１２３８号公報）には、体温や体脂肪率などの体調を示す指標の推移を認識できる携帯端末が開示されている。すなわち、この携帯端末は、体温センサと体脂肪率センサとを備え、これらでそれぞれ測定した体温データ及び体脂肪率データをＲＡＭに記憶させ、最新の体温データと体脂肪率データを、ＲＡＭに記憶されている過去の体温データ及び体脂肪率データとをＣＰＵで関連付けて処理し、その処理結果をＬＣＤパネルに表示させ、更には通信網を通じて外部へ送信できるようにしたものである。
【００１３】
しかし、これらのものは、体温と体脂肪率とを測定対象しており、上述したような特異性がある基礎体温測定には適用できない。
【００１４】
その他に、特許文献７（特開平８−１０２３６号公報）、特許文献８（特開２０００−３３３９１８号公報）、特許文献９（特開２０００−３１６８１９号公報）、特許文献１０（特開２０００−９３３９６号公報）、特許文献１１（特開２０００−６０８０７号公報）、特許文献１２（特開平１１−１７８８０１号公報）、特許文献１３（特開平１１−７００８６号公報）などのように、携帯電話機と血圧計、心拍計、心電計などを組み合わせて利用者の健康管理を容易とすることを目的とした装置は数多く提案されている。
【００１５】
【特許文献１】
特開平１１−８４０３６号公報（第４頁、図７）
【特許文献２】
特開平９−７２９６８号公報（第２頁、図１）
【特許文献３】
特開２０００−１３９８５７号公報（第４頁、図１）
【特許文献４】
特開平１０−８０４０８号公報（第３頁、図３）
【特許文献５】
特開２０００−２２９０７２号公報（第４〜５頁、図１）
【特許文献６】
特開２００１−２１１２３８号公報（第３〜第４頁、図１）
【特許文献７】
特開平８−１０２３６号公報（第８〜９頁、図１）
【特許文献８】
特開２０００−３３３９１８号公報（第３頁、図２）
【特許文献９】
特開２０００−３１６８１９号公報（第３〜４頁、図１）
【特許文献１０】
特開２０００−９３３９６号公報（第６〜７頁、図１）
【特許文献１１】
特開２０００−６０８０７号公報（第３〜４頁、図１）
【特許文献１２】
特開平１１−１７８８０１号公報（第３〜５頁、図１）
【特許文献１３】
特開平１１−７００８６号公報（第５〜８頁、図１）
【００１６】
【発明が解決しようとする課題】
本発明は、上述したような従来技術の問題を解決するため、携帯電話機等の携帯通信端末を用いて毎日手軽に基礎体温を測定でき、その測定データから女性の体調管理を容易にかつ確実に実現することができる携帯通信端末による基礎体温測定システムの提供を目的とする。
【００１７】
【課題を解決するための手段】
本発明の携帯通信端末による基礎体温測定システムは、基礎体温データベースと、携帯通信端末に付属する温度センサと、該温度センサにて測定された体温測定データと携帯通信端末内での日時及びカレンダデータとから基礎体温を集計して基礎体温データベースへ保存するとともに、その結果を携帯通信端末の表示部上に基礎体温表としてグラフ表示させる基礎体温処理アプリケーションソフトとからなり、該基礎体温処理アプリケーションソフトは携帯通信端末内のＣＰＵにて実行されることを特徴とする。
【００１８】
その好ましい具体的形態を挙げると、次のとおりである。
基礎体温処理アプリケーションソフトは、携帯通信端末内のタイマにて設定された時刻に、携帯通信端末内の音声部を用いて基礎体温測定を促すための報知を行う報知機能を有する。その報知は、温度センサによる体温測定が行われるまで終了しないようになっている。
【００１９】
また、基礎体温処理アプリケーションソフトは、基礎体温表の表示形態を携帯通信端末のキーによる選択に従い変更する表示形態選択機能を有する。
【００２０】
基礎体温データベースは、携帯通信端末内のデータメモリ、又はネットワーク上のデータベースサーバに格納される。後者の場合、ネットワークを通じて携帯通信端末とのデータの授受が行われる。
【００２１】
温度センサは、携帯通信端末の筐体に備えられていても、携帯通信端末に接続する外付けアダプタとされていてもよい。
【００２２】
基礎体温処理アプリケーションソフトは、携帯通信端末の記憶部に予め保存されているか、又はネットワークを通じて携帯通信端末にダウンロードされる。
【００２３】
基礎体温処理アプリケーションソフトは、基礎体温データベースに保存された基礎体温データをネットワークを通じて診断システムへ送り、診断者による診断結果を受信可能とする診断用送受信機能を有する。更に、診断結果をインターネットを通じてダウンロードできるようにする診断結果ダウンロード機能を有する。
【００２４】
【発明の実施の形態】
次に、本発明の実施の形態を図面に基づいて詳細に説明する。
【００２５】
図１に本発明の第１実施例が示されている。
図１において、携帯電話機１は、無線基地局２及び電話回線３を介してインターネット４と接続される。
【００２６】
携帯電話機１には、その本体筐体５の前面に、電話番号や文字等を入力したり各種の操作を行うためのキーボード６が配置されているとともに、本体筐体５の例えば側面に温度センサ７が装備されている。
【００２７】
図２に、携帯電話機１内部の信号処理ブロック図を示す。なお、携帯電話本来の動作である、発信、着信などの無線処理、アドレス帳などのデータ格納手段の処理などの信号処理ブロックは省略しているが、携帯電話機そのものとして使用する場合は、従来の携帯電話機とまったく同じ動作をするものとする。ここでは、本発明による基礎体温測定システムに関する信号処理の流れのみを説明する。
【００２８】
図２において、本携帯電話機の信号処理の全てを司る演算処理ＩＣであるＣＰＵ８には、表示部（ＬＣＤ）９と音声部１０と温度センサ７とカレンダデータ生成部１１とタイマ１２とデータメモリ１３とが接続され、また本携帯電話機には、ＣＰＵ８にて実行される基礎体温処理アプリケーションソフト１４がインストールされている。更に、ここでは図示しないが、前述のように携帯電話機本来の動作をするための無線系処理ＬＳＩ等がＣＰＵ８に接続されている。
【００２９】
次に、本実施例の動作、つまり基礎体温処理アプリケーションソフト１４に従いＣＰＵ８にて行われる動作につき、図３のフローチャートを参照して説明する。
【００３０】
本発明の基礎体温測定システムを利用するユーザは、まず携帯電話機１の電源を入れ（ステップＳ１）、表示部９に表示されている操作メニューから基礎体温測定モードを選んだ後（ステップＳ２）、温度センサ７に自分の指を押し当てて体温を測定する（ステップＳ３）。温度センサ７は例えば２次元赤外線センサなど、対象物の熱輻射などを検出してその強度を電気信号に変換する装置を使用して実現されているものとする。温度センサ７によって測定された体温測定データは、ＣＰＵ８に転送され、一旦データメモリ１３に格納される（ステップＳ４、ステップＳ５）。
【００３１】
次に、ＣＰＵ８は、タイマ１２からの日時データ及びカレンダデータ生成部１２からの暦データと、温度センサ７からの体温測定結果を、データメモリ１３に格納されている基礎体温データベース１３ａから読み出し（ステップＳ６）、利用者の基礎体温データの集計や記録を行う（ステップＳ７）。集計結果は、基礎体温処理アプリケーションソフト１４にてグラフ化され（ステップＳ８）、表示部（ＬＣＤ）９上にグラフ（基礎体温表）として表示される（ステップＳ９）。グラフへの表示は、図４、図５、図６にそれぞれ示した通り、過去２８日のデータ表示（図４）、過去数ヶ月のデータの重ね合わせ表示（図５）、同時系列表示（図６）等、利用者の好み、使い勝手に応じて自由に選択可能となっている。その表示形態の変更は、基礎体温処理アプリケーションソフト１４にて実行する。
【００３２】
また、タイマ１２を用いて毎日決められた時刻に音声部１０による報知（メロディ等にて報知）を行えば、利用者に体温測定を促すことができる。例えば、タイマ１２を毎朝の目覚ましタイマのように用いてこれに連動してシステムを起動して音声部１０を作動させ（ステップＳ１０）、更にこの目覚しタイマは、温度センサ７による基礎体温データの測定が終わるまで切れないような構成にしておけば、利用者は目覚しタイマによって毎朝一定時刻に目覚め、その目覚しタイマを停止するために温度センサ７により基礎体温データの測定を行うようになるので、毎日一定の時刻に必ず基礎体温を測定することになる。
【００３３】
更に、本システムによって測定・記録された基礎体温データを、携帯電話機１の無線通信機能を用いてネットワーク機器に転送すれば、例えば、パソコンソフトによりデータ処理が可能となったり、プリンタによりデータのプリントアウトが可能となる。
【００３４】
図７に本発明の第２の実施例を示す。その基本的構成は上記と同じあるが、基礎体温データを携帯電話本体内蔵のデータメモリ１３ではなく、ネットワーク上のデータベースサーバに格納する構成としたものである。
【００３５】
すなわち、インターネット４上に、各個人の基礎体温測定データを保有するデータベースサーバ１５が接続され、基礎体温データは、このサーバ１５内のデータベースに格納される。サーバ１５は、本システムによるサービスのユーザアドレス番号記録やデータ記録等の機能を有する。プロバイダ１６は、インターネット４と電話回線３に接続されており、電話回線３の利用者に対して電話回線接続とインターネット４の接続サービスを提供する。電話回線３に接続されている無線基地局２は、電波を介して携帯電話機１との通信を行う。
【００３６】
本実施例においては、基礎体温測定データを携帯電話機本体内のデータメモリに格納せずに、インターネット４上に設けられたデータベースサーバ１５に格納する構成としたので、携帯電話機本体のメモリ容量を削減することができ、小型化、低コスト化を実現することができる。
【００３７】
また、もし利用者に異常が発見された場合等は、データベースサーバ１５に格納している基礎体温測定データをネットワーク上の診断システムにアップロードすれば、医師等の専門家（診断者）のアドバイスを受けることもできる。その場合、診断結果をインターネットを通じて携帯電話機にダウンロードできるようにしてもよい。
【００３８】
更に、ネットワーク上に基礎体温データを格納していることで、データをパソコン等に転送しパソコンソフトによりデータ処理をすることが可能で、かつネットワークプリンタ等を用いれば、手軽にデータのプリントアウトをすることができる。
【００３９】
図８に本発明の第３の実施例を示す。この実施例では、基本的構成は上記と同様であるが、基礎体温データを測定するための温度センサ７を携帯電話機１に内蔵ではなく、外付けアダプタとして接続する構成とする。また、基礎体温処理アプリケーションソフト１４は、例えば携帯電話回線業者が提供しているアプリケーションダウンロードサービスを利用してネットワークから携帯電話機機１へダウンロードする。測定した基礎体温データは携帯電話機機本体内蔵のデータメモリに格納する。
【００４０】
第３の実施例によると、第２の実施例の効果に加えて、携帯電話機の小型軽量化が図れるとともに、携帯電話機を変更した場合にも、温度センサアダプタをその携帯電話機に接続することで、基礎体温測定をすることができる。
【００４１】
図９に本発明の第４の実施例を示す。この実施例は、その基本的構成は上記第３実施例と同様であるが、基礎体温データを携帯電話本体内蔵のデータメモリではなく、ネットワーク上のデータベースサーバ１５に格納する構成とする。
【００４２】
第４の実施例によると、第３の実施例の効果に加えて、基礎体温測定データを携帯電話機本体内のデータメモリに格納せずに、インターネット４上に設けられたデータベースサーバ１５に格納する構成としたので、携帯電話機本体のメモリ容量を削減することができ、更なる小型化、低コスト化を実現することができる。
【００４３】
なお、上述した実施例では、いずれも携帯電話機に適用した場合について述べたが、本発明は、携帯情報端末等の通信機能を有する他の携帯通信端末にも適用できる。
【００４４】
【発明の効果】
以上説明したように本発明によれば、以下に記載するような効果を奏する。
▲１▼　普段携行する携帯電話機等の携帯通信端末に温度センサを備え、これにて体温を測定し、その測定された体温測定データと携帯通信端末内での日時及びカレンダデータとから基礎体温を集計して基礎体温データベースへ保存し、その結果を携帯通信端末の表示部上に基礎体温表としてグラフ表示させることができるので、特別に基礎体温を測定・記録する機器を購入・使用すること無しに、手軽に基礎体温データを測定・記録することができる。
【００４５】
▲２▼　普段携行する携帯電話機を用いて基礎体温を測定することで、特に目覚まし時計代わりに携帯電話機を使用していることが多いことを考えると、タイマと連動してシステムを起動することで、毎朝ほぼ決まった時刻に体温を測定・記録することができ、基礎体温測定の精度を上げられる。
【００４６】
▲３▼　基礎体温データをグラフ化して表示部に表示することができるので、手軽にその日の状態、過去の状態、排卵日等をチェックすることができる。
【００４７】
▲４▼　携帯電話機の無線通信機能を用いてネットワーク機器に基礎体温データを転送すれば、例えば、データをパソコン等に転送すればパソコンソフトによりデータ処理をすることが可能となり、更にネットワークプリンタ等を用いれば、手軽にデータのプリントアウトをすることが可能となるなど、使用形態を容易に拡張することができる。
【００４８】
▲５▼　データベースに格納している基礎体温測定データをネットワーク上の診断システムにアップロードすれば。医師等の専門家（診断者）のアドバイスを受けることができる。また、その診断結果をインターネットを通じて携帯電話機にダウンロードすることもできる。
【図面の簡単な説明】
【図１】本発明の第１実施例のシステム構成図である。
【図２】携帯電話機内部の信号処理ブロック図である。
【図３】動作例のフローチャートである。
【図４】携帯電話機の表示部に表示される基礎体温表の第１例のグラフである。
【図５】同じく第２例のグラフである。
【図６】同じく第３例のグラフである。
【図７】本発明の第２実施例のシステム構成図である。
【図８】本発明の第３実施例のシステム構成図である。
【図９】本発明の第４実施例のシステム構成図である。
【図１０】腕時計を用いた従来例の斜視図である。
【図１１】携帯電話機に体脂肪計を備えた従来例の斜視図である。
【符号の説明】
１　携帯電話機
２　無線基地局
３　電話回線
４　インターネット
５　本体筐体
６　キーボード
７　温度センサ
８　ＣＰＵ
９　表示部（ＬＣＤ）
１０　音声部
１１　カレンダデータ生成部
１２　タイマ
１３　データメモリ
１３ａ　基礎体温データベース
１４　基礎体温処理アプリケーションソフト
１５　データベースサーバ
１６　プロバイダ
【図１】
2004138439.tif 000003
【図２】
2004138439.tif 000004
【図３】
2004138439.tif 000005
【図４】
2004138439.tif 000006
【図５】
2004138439.tif 000007
【図６】
2004138439.tif 000008
【図７】
2004138439.tif 000009
【図８】
2004138439.tif 000010
【図９】
2004138439.tif 000011
【図１０】
2004138439.tif 000012
【図１１】
2004138439.tif 000013